(57)【要約】【課題】スピーカホルダとフロントケース及びリアケースとの間の密閉を簡素な構成で確実に行うことができる携帯端末装置を提供する。【解決手段】ヒンジフロントケース２５ａとヒンジリアケース２５ｂで構成されるヒンジケース２５と、ヒンジフロントケース２５ａの第１放音孔３０に対向してケース２５内に配設されるスピーカ３１と、スピーカ３１を保持するホルダ３２とを備え、スピーカホルダ３２は、第１放音孔３０に対向する位置に開口部３２ａが形成されると共に、開口部３２ａに連設されてリアケース２５ｂの第２放音孔３３に対向する位置まで延びる空間部を形成する凹部３２ｂが形成され、フロントケース２５ａの正面部内面とリアケース２５ｂの側面部内面の各対向部に亘って、各対向部でフロントケース２５ａの正面部内面と側面部内面に密着される遮音シート３４が装着される。【選択図】図３
2008182602.tif 000002
【特許請求の範囲】
【請求項１】
第１ケース部材と第２ケース部材とが対向して結合されて構成される筐体と、
前記第１ケース部材の正面部に形成された第１放音孔に対向して前記筐体内に配設されるスピーカと、
前記筐体内に支持されて、前記スピーカを保持する保持部材と、
を備え、
前記第２ケース部材は、前記スピーカの側面側に対向した位置に第２放音孔が形成され、
前記保持部材は、前記第１放音孔に対向する位置に開口部が形成されると共に、当該開口部に連設されて前記第２放音孔に対向する位置まで延びる空間部を形成する凹部が形成され、前記第１ケース部材の正面部内面に対向する第１対向部と前記第２ケース部材の側面部内面に対向する第２対向部とに亘って弾性部材が装着されて構成され、
前記弾性部材は、前記第１ケース部材と前記第２ケース部材との結合により、前記第１対向部で前記第１ケース部材の正面部内面に密着されると共に前記第２対向部で前記第２ケース部材の前記側面部内面に密着される
ことを特徴とする携帯端末装置。
【請求項２】
前記保持部材は、前記スピーカが収納される収納部を有し、
前記弾性部材は、一端側が、前記第２対向部から前記収納部の内面に亘って配設されて前記スピーカと前記保持部材とによって挟持される
ことを特徴とする請求項１に記載の携帯端末装置。
【請求項３】
前記保持部材は、前記第２ケース部材の側面部に対向する部位が傾斜して形成されている
ことを特徴とする請求項１または２に記載の携帯端末装置。
【請求項４】
前記第２ケース部材は、前記第２放音孔の端面が前記第１ケース部材との結合境面と一致して形成される
ことを特徴とする請求項１から３のいずれか一項に記載の携帯端末装置。
【発明の詳細な説明】
【技術分野】
【０００１】
この発明は、筐体内部にスピーカを配置し、筐体を構成するケースに放音孔を有する携帯端末装置に関する。
【背景技術】
【０００２】
従来、筐体内部にスピーカを配置し、筐体を構成するケースに放音孔を有する携帯端末装置として、「携帯型通信端末機」（特許文献１参照）が知られている。この「携帯型通信端末機」においては、フロントケースとリアケースとを結合して構成される筐体の内部にスピーカを配置しており、スピーカからの音は、リアケースの背面と側面とに形成された２つの放音孔から放出される。また、スピーカを保持するホルダには、シール部材が貼付されており、このシール部材によりケース内面とホルダとの間が密閉されている。
【特許文献１】特開２００５−２４４７８４号公報
【発明の開示】
【発明が解決しようとする課題】
【０００３】
しかしながら、筐体外観上の問題により、前面側の放音孔が形成されるフロントケースに側面側の放音孔を形成できない場合がある。このような、フロントケースに側面側の放音孔を形成できない構成とした場合、フロントケースに側面側の壁部を設けて音漏れを防止して出力する構成とする必要があるが、筐体が大型化するだけでなく、フロントケース壁部とリアケース内面との間からの音漏れの虞があった。
この発明の目的は、第１ケース部材と第２ケース部材とが結合されて筐体が構成され、第１ケース部材の正面部と第２ケース部材の側面部とのそれぞれに放音孔が形成されるものであっても、スピーカ保持部材と各ケース部材との間の密閉を簡素な構成で確実に行うことができる携帯端末装置を提供することである。
【課題を解決するための手段】
【０００４】
上記目的を達成するため、この発明に係る携帯端末装置は、第１ケース部材と第２ケース部材とが対向して結合されて構成される筐体と、前記第１ケース部材の正面部に形成された第１放音孔に対向して前記筐体内に配設されるスピーカと、前記筐体内に支持されて、前記スピーカを保持する保持部材と、を備え、前記第２ケース部材は、前記スピーカの側面側に対向した位置に第２放音孔が形成され、前記保持部材は、前記第１放音孔に対向する位置に開口部が形成されると共に、当該開口部に連設されて前記第２放音孔に対向する位置まで延びる空間部を形成する凹部が形成され、前記第１ケース部材の正面部内面に対向する第１対向部と前記第２ケース部材の側面部内面に対向する第２対向部とに亘って弾性部材が装着されて構成され、前記弾性部材は、前記第１ケース部材と前記第２ケース部材との結合により、前記第１対向部で前記第１ケース部材の正面部内面に密着されると共に前記第２対向部で前記第２ケース部材の前記側面部内面に密着されることを特徴としている。
【０００５】
また、この発明は、前記保持部材は、前記スピーカが収納される収納部を有し、前記弾性部材は、一端側が、前記第２対向部から前記収納部の内面に亘って配設されて前記スピーカと前記保持部材とによって挟持されることが好ましい。
また、この発明は、前記保持部材は、前記第２ケース部材の側面部に対向する部位が傾斜して形成されていることが好ましい。
また、この発明は、前記第２ケース部材は、前記第２放音孔の端面が前記第１ケース部材との結合境面と一致して形成されることが好ましい。
【発明の効果】
【０００６】
この発明によれば、外観上の都合により、正面側の放音孔が第１ケース部材に形成され、側面側の放音孔が第２ケース部材に形成されて構成されるものであっても、保持部材と第１ケース部材及び第２ケース部材との間には１枚の弾性部材が貼付されているので、保持部材と第１ケース部材及び第２ケース部材との間の密閉を簡素な構成で確実に行うことができる。
【発明を実施するための最良の形態】
【０００７】
以下、この発明を実施するための最良の形態について図面を参照して説明する。
図１は、この発明の一実施の形態に係る携帯電話機の開状態を示し、（ａ）はメイン表示器側の斜視図、（ｂ）はサブ表示器側の斜視図である。図１に示すように、携帯端末装置の一例としての携帯電話機１０は、例えば、表示器側筐体１１とキー側筐体１２が、表示器側筐体１１の一端部に設けられたヒンジ部（連結部）１３（（ａ）参照）を介して相互回動自在に連結された折り畳み構造を有しており、表示器側筐体１１とキー側筐体１２が互いに離反した開状態にすることができる。
【０００８】
ヒンジ部１３は、表示器側筐体１１の一端部側に突設されており、キー側筐体１２の一端部に回動自在に軸支されている。このヒンジ部１３で連結された表示器側筐体１１とキー側筐体１２は、両筐体が略直線上に連続する開状態或いは両筐体が上下に重なった閉状態（図示しない）に、自在に開閉することができる。
表示器側筐体１１の表示面側には、メイン液晶表示器（Ｌｉｑｕｉｄ  Ｃｒｙｓｔａｌ  Ｄｉｓｐｌａｙ：ＬＣＤ）１４（（ａ）参照）が、その裏面側には、サブＬＣＤ１５（（ｂ）参照）が、それぞれ装着されている。キー側筐体１２の外面上、即ち、操作面側には、押下可能な複数の操作キーを配置した操作部１６（（ａ）参照）が、その裏面側には、バッテリ格納部（図示しない）を塞ぐ蓋体１７（（ｂ）参照）が、それぞれ装着されている。
【０００９】
図２は、図１の携帯電話機１０における表示器側筐体１１とキー側筐体１２とヒンジ部１３との分解構成図である。図２に示すように、表示器側筐体１１は、フロントケース１８とリアケース１９を重ね合わせた状態で結合して構成され、フロントケース１８とリアケース１９の間には、サブＬＣＤ１５、ＬＣＤ側基板、ＬＣＤフレーム、及びメインＬＣＤを積み重ねた状態で一体に形成されたＬＣＤユニット２０が、収納されている。キー側筐体１２は、フロントケース２１とリアケース２２を重ね合わせた状態で結合して構成され、フロントケース２１とリアケース２２の間には、操作キー部２３及びキー基板部２４が積み重ねた状態で収納されている。
【００１０】
ヒンジ部材１３は、ヒンジフロントケース（第１ケース部材）２５ａとヒンジリアケース（第２ケース部材）２５ｂとが対向して構成されるヒンジケース（筐体）２５の内部に、第１回転部材２６、第２回転部材２７及びダミーヒンジ２８と共にスピーカユニット２９等を収容し、両ケース２５ａ，２５ｂを重ね合わせた状態で結合されている。このスピーカユニット２９は、スピーカ及びスピーカを保持するスピーカホルダを有している。また、ヒンジケース２５の内部には、キー側筐体１２内のメイン基板（回路基板）に接続されるケーブル３５が配置されている。
【００１１】
第１回転部材２６は表示器側筐体１１に、第２回転部材２７はキー側筐体１２に、それぞれ装着される。ダミーヒンジ２８は、第２回転部材２７と対で設けられており、表示器側筐体１１とキー側筐体１２のそれぞれに内蔵された回路基板を電気的に接続するためのケーブル部材（図示しない）を通す孔を有している。
第１回転部材２６は、一端が表示器側筐体１１に結合されて、表示器側筐体１１をキー側筐体１２に対して表裏回転可能にヒンジ部１３と連結し、第２回転部材２７は、軸方向一端側がキー側筐体１２の筐体長手方向一端側（図２における左側）に形成されて筐体幅方向に向かって開口された図示しない軸受け部に挿嵌されて軸方向他端側がヒンジ部１３の該軸受け部に対向して形成されたヒンジ軸受け部に挿嵌されて、表示器側筐体１１とキー側筐体１２とを開閉方向に回転可能に連結している。ダミーヒンジ２８は、第２回転部材２７と対で設けられており、表示器側筐体１１とキー側筐体１２のそれぞれに内蔵された回路基板を電気的に接続するためのケーブル部材（図示しない）を通す孔を有している。
図３は、スピーカユニット２９がヒンジケース２５に収納された状態を示す断面図である。図４は、スピーカユニット２９を構成する各部材を示し、（ａ）は遮音シート装着前の斜視図、（ｂ）はスピーカ格納前の斜視図、（ｃ）はスピーカ格納後及び遮音シート装着後の斜視図である。
【００１２】
図３に示すように、ヒンジフロントケース２５ａの正面部には、ケース横幅方向（図中、紙面に対し左右方向）両側に位置して筐体厚さ方向（図３における下方向）に向けて開口される第１放音孔３０が形成されており、各第１放音孔３０に対向して、ヒンジケース２５の内部にスピーカ３１が配設されている。両スピーカ３１，３１は、スピーカホルダ（保持部材）３２に保持されており、スピーカホルダ３２は、ヒンジケース２５の内部に支持されている。また、ヒンジリアケース２５ｂには、各スピーカ３１の側面側に対向した位置に筐体幅方向（図３における左右方向）に向けて開口する第２放音孔３３が形成されている。
図４に示すように、スピーカホルダ３２は、筐体幅方向である長手方向略両端部に設けたスピーカ収納部（収納部）３０ａが形成された、横長板体形状を有しており（（ａ）参照）、スピーカ３１をスピーカ収納部３０ａに収納保持した状態でヒンジケース２５内に支持されている。
【００１３】
図３及び図４に示すように、このスピーカホルダ３２は、第１放音孔３０に対向する位置に開口部３２ａが形成されると共に、当該開口部３２ａに連設されて第２放音孔３３に対向する位置まで延びる空間部を形成する凹部３２ｂが形成され（図３，図４（ａ）参照）、ヒンジフロントケース２５ａの正面部内面に対向する第１対向部とヒンジリアケース２５ｂの側面部内面に対向する第２対向部とに亘って遮音シート（弾性部材）３４が装着されて（図４（ｂ），（ｃ）参照）構成されている。
図４に示すように、遮音シート３４は、ゴムやスポンジなどの弾性部材により形成されており、一端側が第２対向部からスピーカ収納部３０ａの内面に亘って配設されて、スピーカ３１がスピーカ収納部３０ａに収納された状態でスピーカ３１とスピーカホルダ３２とによって挟持される。遮音シート３４の第２放音孔３３に対向する部分は、第２放音孔３３に連通する開口部となっているが、この開口部には、埃等の進入を防止するための網３４ａが掛け渡されている。
【００１４】
この遮音シート３４は、ヒンジフロントケース２５ａとヒンジリアケース２５ｂとの結合により、第１対向部でヒンジフロントケース２５ａの正面部内面に密着されると共に、第２対向部でヒンジリアケース２５ｂの側面部内面に密着されている（図３参照）。遮音シート３４をスピーカホルダ３２のスピーカ収納部３０ａまで巻き付けることにより、その弾性を利用してスピーカ３１の仮保護を兼ねると共に、遮音シート３４の剥がれを防止することができる。
図５は、スピーカユニット２９の装着状態を示し、（ａ）はスピーカユニット２９装着前の斜視図、（ｂ）はヒンジフロントケース２５ａへのヒンジリアケース２５ｂへの取り付け説明図、（ｃ）はヒンジフロントケース２５ａへのヒンジリアケース２５ｂ取り付け後の部分斜視図である。図５に示すように、スピーカホルダ３２にスピーカ３１を装着したスピーカユニット２９を、ヒンジフロントケース２５ａの内部に組み込むことにより、ヒンジケース２５の内部に収納する（（ａ）参照）。
【００１５】
スピーカユニット２９が組み込まれたヒンジフロントケース２５ａに、スピーカユニット２９を覆うようにヒンジリアケース２５ｂを装着する（（ｂ）参照）。ヒンジフロントケース２５ａとヒンジリアケース２５ｂは、例えば、ボス嵌合により結合状態になる。ヒンジフロントケース２５ａにヒンジリアケース２５ｂを装着して形成されたヒンジケース２５には、各スピーカ３１の側面側が対向する位置に、ヒンジリアケース２５ｂの第２放音孔３３が開口している（（ｃ）参照）。
従って、スピーカユニット２９には、各スピーカ３１から、スピーカホルダ３２の開口部３２ａを介して第１放音孔３０に連通する放音路（（ｃ）矢印Ａ参照）と、スピーカホルダ３２の凹部３２ｂを介して第２放音孔３３に連通する放音路（（ｃ）矢印Ｂ参照）が、それぞれ形成される。
【００１６】
図６は、ヒンジケース２５の部分断面図である。図６に示すように、スピーカホルダ３２は、ヒンジリアケース２５ｂの側面部に対向する部位が、ヒンジフロントケース２５ａからヒンジリアケース２５ｂに向かうに連れてケース内面側に傾斜して形成されている。つまり、遮音シート３４を貼付するシート貼り付け面に傾斜を設けることにより、ヒンジリアケース２５ｂを組み込む際に、遮音シート３４が剥がれてしまうのを防止することができる。なお、ヒンジリアケース２５ｂは、第２放音孔３３の端面がヒンジフロントケース２５ａとの結合境面と一致して形成されている。
【００１７】
このように、外観上の都合により、正面側の放音孔である第１放音孔３０がヒンジフロントケース２５ａに形成され、側面側の放音孔である第２放音孔３３がヒンジリアケース２５ｂに形成されて構成されるものであっても、スピーカホルダ３２とヒンジフロントケース２５ａ及びヒンジリアケース２５ｂとの間には１枚の遮音シート３４が貼付されているので、スピーカホルダ３２とヒンジフロントケース２５ａ及びヒンジリアケース２５ｂとの間の密閉を簡素な構成で確実に行うことができる。
なお、本発明は、上述した実施の形態により説明したが、この実施の形態に限定されるものではない。従って、本発明の趣旨を逸脱することなく変更態様として実施するものも含むものである。例えば、携帯電話機以外の携帯端末装置に適用することも可能である。
【図面の簡単な説明】
【００１８】
【図１】この発明の一実施の形態に係る携帯電話機の開状態を示し、（ａ）はメイン表示器側の斜視図、（ｂ）はサブ表示器側の斜視図である。
【図２】図１の携帯電話機の分解構成図である。
【図３】スピーカユニットがヒンジケースに収納された状態を示す断面図である。
【図４】スピーカユニットを構成する各部材を示し、（ａ）は遮音シート装着前の斜視図、（ｂ）はスピーカ格納前の斜視図、（ｃ）はスピーカ格納後の斜視図である。
【図５】スピーカユニットの装着状態を示し、（ａ）はスピーカユニット装着前の斜視図、（ｂ）はヒンジフロントケースへのヒンジリアケースへの取り付け説明図、（ｃ）はヒンジフロントケースへのヒンジリアケース取り付け後の部分斜視図である。
【図６】ヒンジケースの部分断面図である。
【符号の説明】
【００１９】
１０  携帯電話機
１１  表示器側筐体
１２  キー側筐体
１３  ヒンジ部
１４  ＬＣＤ
１５  サブＬＣＤ
１６  操作部
１７  蓋体
１８  フロントケース
１９  リアケース
２０  ＬＣＤユニット
２１  フロントケース
２２  リアケース
２３  操作キー部
２４  キー基板部
２５  ヒンジケース
２５ａ  ヒンジフロントケース
２５ｂ  ヒンジリアケース
２６  第１回転部材
２７  第２回転部材
２８  ダミーヒンジ
２９  スピーカユニット
３０  第１放音孔
３０ａ  スピーカ収納部
３１  スピーカ
３２  スピーカホルダ
３２ａ  開口部
３２ｂ  凹部
３３  第２放音孔
３４  遮音シート
３４ａ  網
【図１】
2008182602.tif 000003
【図２】
2008182602.tif 000004
【図３】
2008182602.tif 000005
【図４】
2008182602.tif 000006
【図５】
2008182602.tif 000007
【図６】
2008182602.tif 000008